(57)【要約】      （修正有）【課題】既存のブロック塀をより簡易に補強する塀の補強構造を提供する。【解決手段】塀の補強構造は、塀１０の表側または裏側の一方に、塀１０と所定の距離を設けて一端が地中に固定されている複数の柱２１と、複数の柱２１と格子状に組み合される複数の梁２２と、一端が塀１０に係止され、他端が柱２１と梁２２との交点付近に固定された複数の補強筋２３と、を備える。補強筋２３は、塀１０の表側または裏側の他方側から塀１０を貫いている。【選択図】図１
0003218104.tif 000002
【実用新案登録請求の範囲】
【請求項１】
塀の表側または裏側の一方に、前記塀と所定の距離を設けて一端が地中に固定されている複数の柱と、
前記複数の柱と格子状に組み合される複数の梁と、
一端が前記塀に係止され、他端が前記柱と前記梁との交点付近に固定された複数の補強筋と、
を備えることを特徴とする塀の補強構造。
塀の補強構造。
【請求項２】
請求項１に記載の塀の補強構造であって、
前記補強筋は、前記塀の表側または裏側の他方側から前記塀を貫いている
ことを特徴とする塀の補強構造。
【請求項３】
請求項２に記載の塀の補強構造であって、
前記補強筋は、一端に前記塀を係止する先端部を有する
ことを特徴とする塀の補強構造。
【考案の詳細な説明】
【技術分野】
【０００１】
本考案は、例えば、既設のブロック塀を補強する場合に用いて好適な塀の補強構造に関する。
【背景技術】
【０００２】
従来、大きな地震が発生すると既存のブロック塀が倒壊し、悲惨な事故を引き起こす要因となっていた。
【０００３】
このため、ブロック塀に対する現行の耐震基準は、震度６強から７の地震が発生しても倒壊しない強度を保持するように、１９８１年の建築基準法施行令改定によって規定されている。
【０００４】
そして、この耐震基準に適合させるように、例えば、特許文献1には、耐震強度を増すために筋交を設けたブロック塀の構造が提案されている。
【０００５】
ただし、実際には、耐震基準を満たしていないブロック塀が各地に依然として大量に残存する。安全性の見地に立てば、これらのブロック塀は撤去して耐震基準を満たすものを再建することが望ましい。
【先行技術文献】
【特許文献】
【０００６】
【特許文献１】実開昭５８−１６２９４４号公報
【考案の概要】
【考案が解決しようとする課題】
【０００７】
しかしながら、ブロック塀の再建に要する経済的コスト、建築現場における人手不足、材料（ブロック等）の再利用等を考慮した場合、既存のブロック塀を補強することも現実的な選択肢の一つである。
【０００８】
本考案は、このような状況に鑑みてなされたものであり、既存のブロック塀をより簡易な構造によって補強できるようにすることを目的とする。
【課題を解決するための手段】
【０００９】
本考案は、上記課題の少なくとも一部を解決する手段を複数含んでいるが、その例を挙げるならば、以下のとおりである。上記課題を解決すべく、本考案の一態様に係る塀の補強構造は、塀の表側または裏側の一方に、前記塀と所定の距離を設けて一端が地中に固定されている複数の柱と、前記複数の柱と格子状に組み合される複数の梁と、一端が前記塀に係止され、他端が前記柱と前記梁との交点付近に固定された複数の補強筋と、を備えることを特徴とする。
【００１０】
前記補強筋は、前記塀の表側または裏側の他方側から前記塀を貫くことができる。
【００１１】
前記補強筋は、一端に前記塀を係止する先端部を有することができる。
【考案の効果】
【００１２】
本考案によれば、既存のブロック塀をより簡易な構造によって補強することができる。
【００１３】
上記した以外の課題、構成及び効果は、以下の実施形態の説明により明らかにされる。
【図面の簡単な説明】
【００１４】
【図１】本考案に係る一実施の形態であるブロック塀の補強構造の一例を示す断面図である。
【図２】ブロック塀を裏側から見た場合の補強構造の一例を示す図である。
【図３】ブロック塀を表側から見た場合の補強構造の一例を示す図である。
【考案を実施するための形態】
【００１５】
以下、本考案に係る一実施の形態を図面に基づいて説明する。なお、本実施の形態を説明するための全図において、同一の部材には原則として同一の符号を付し、その繰り返しの説明は省略する。また、以下の実施の形態において、その構成要素（要素ステップ等も含む）は、特に明示した場合および原理的に明らかに必須であると考えられる場合等を除き、必ずしも必須のものではないことは言うまでもない。また、「Ａからなる」、「Ａよりなる」、「Ａを有する」、「Ａを含む」と言うときは、特にその要素のみである旨明示した場合等を除き、それ以外の要素を排除するものでないことは言うまでもない。同様に、以下の実施の形態において、構成要素等の形状、位置関係等に言及するときは、特に明示した場合および原理的に明らかにそうでないと考えられる場合等を除き、実質的にその形状等に近似または類似するもの等を含むものとする。
【００１６】
＜本考案に係る一実施の形態であるブロック塀の補強構造＞
図１は、本考案に係る一実施の形態であるブロック塀の補強構造２０の一例を示す断面図である。図２は、図１の補強構造２０をブロック塀１０の裏側から見た場合の一例を示す図である。図３は、図１の補強構造２０をブロック塀１０の表側から見た場合の一例を示す図である。
【００１７】
該補強構造２０は、既存のブロック塀１０に対して追加施工することにより、ブロック塀１０の耐震強度を補強するためのものである。
【００１８】
ブロック塀１０は、ブロック１１が基礎部分１２の上に複数段積層されている。基礎部分１２は、例えば、コンクリートから成り、その大部分が地表面１３の下に埋設されている。なお、ブロック１１の内部には、基礎部分１２に達する縦鉄筋１４が所定の間隔で縦方向に設けられている。また、ブロック１１の内部には、横鉄筋１５が所定の間隔で横方向に設けられている。
【００１９】
ブロック塀１０に対して追加施工する補強構造２０は、ブロック塀１０の裏側（例えば、ブロック塀１０が建物と道路との間にある場合には建物側）に、ブロック塀１０と所定の距離を空けて設置される。なお、補強構造２０は、ブロック塀１０の表側（例えば、ブロック塀１０が建物と道路との間にある場合には道路側）に設置してもよい。
【００２０】
補強構造２０は、複数の柱２１と、複数の梁２２とが格子状に組み合わされて構成される。柱２１と梁２２とは、クランプ（締結金物）２５によって互いに固定されている。柱２１及び梁２２は、例えば直径５０ｍｍの鋼管から成る。柱２１は、例えば、ブロック塀１０の横幅１０ｍあたり５本が配置される。柱２１は、所定長(例えば、６００〜７００ｍｍ)以上地中に埋め込まれており、地表面１３において直径３００ｍｍ程の根巻コンクリート２６によって固定されている。梁２２は、所定の間隔を空けて例えば２段配置される。柱２１及び梁２２の表面には、防錆処理として、例えば亜鉛メッキが施されている。
【００２１】
さらに、柱２１と梁２２との交点付近には、ワッシャ２７（図３）を介してブロック１１を貫通させた補強筋２３の他端が達している。補強筋２３は、例えば、直径１３ｍｍの鉄筋から成り、防錆処理として、その表面のペンキ塗装が施されている。直径１３ｍｍの鉄筋は、１０ｔ以上の引張力を有する。補強筋２３の一端に設けられた先端部２４は、補強筋２３がブロック塀１０の裏側に抜けないように、補強筋２３を成す鉄筋の直径（いまの場合、１３ｍｍ）よりも大きく形成されている。これにより、補強筋２３の一端は、先端部２４によってブロック塀１０を成すブロック１１に係止される。
【００２２】
一方、補強筋２３の他端は、柱２１と梁２２とを固定するクランプ２５に固定されている。
【００２３】
以上のように構成された補強構造２０によれば、地震発生によってブロック塀１０が振動し、表側（図１における右側）に倒壊しそうになっても、ブロック１１を貫通する補強筋２３が１０ｔ以上の引張力によってブロック塀１０を支えるので、ブロック塀１０の表側への倒壊を抑止することができる。
【００２４】
また、補強構造２０によれば、図３に示されるように、ブロック塀１０の表側には、補強筋２３の先端部２４とワッシャ２７とが出現するのみであり、ブロック塀１０の表側の現状を略維持できる。これにより、例えば、小学校等に設置されているブロック塀１０の表側に卒業記念として描かれている絵等を、補強構造２０の施工後も保存することができる。
【００２５】
なお、補強構造２０は、簡易な構造であるため、経済的に低いコストで施工できる。また、工程が容易であるため、少ない人数や作業経験が少ない職人であっても施工することができる。さらに、既存のブロック塀１０を倒壊させることなく、略そのまま利用するので、資材の再利用の観点でも優位性がある。
【００２６】
なお、上述した実施の形態において挙げた数値は一例であり、本考案を限定するものではない。例えば、柱２１、梁２２、補強筋２３の数、素材、直径等は任意に変更が可能である。
【００２７】
また、本考案は、ブロック塀を補強する場合だけでなく、例えば、レンガ、木材、石材等を積層した塀を補強する場合に適用できる。
【００２８】
なお、上記した実施形態では本考案を分かりやすく説明するために構成を詳細に説明したものであり、必ずしも説明した全ての構成を備えるものに限定されるものではない。
【符号の説明】
【００２９】
１０・・・ブロック塀、１１・・・ブロック、１２・・・基礎部分、１３・・・地表面、１４・・・縦鉄筋、１５・・・横鉄筋、２０・・・補強構造、２１・・・柱、２２・・・梁、２３・・・補強筋、２４・・・先端部、２５・・・クランプ、２６・・・根巻コンクリート、２７・・・ワッシャ
【図１】
0003218104.tif 000003
【図２】
0003218104.tif 000004
【図３】
0003218104.tif 000005